(57)【要約】【課題】  作業効率が良く、しかも安全性の高いコンクリート製品の敷設装置を提供する。【解決手段】  一対の水平部材と、前記水平部材を連結する連結部材とからなり、水平部材の両端部には高さ調節部材が設けられており、前記連結部材が水平部材の少なくとも一端部にスライド可能に保持されており、一対の水平部材を連結部材に対してスライドさせることによってその間隔を調節するように構成されている。連結部材を挿通する連結杆は、水平部材の上面から突出していることが好ましい。また、水平部材と連結部材の双方又はいずれか一方に水準器を取り付けてもよい。【選択図】        図１
2006112108.tif 000002
【特許請求の範囲】
【請求項１】
一対の水平部材と、前記水平部材を連結する連結部材とからなり、水平部材の両端部には高さ調節部材が設けられており、前記連結部材が、水平部材の少なくとも一端部にスライド可能に保持されていることを特徴とするコンクリート製品の敷設装置。
【請求項２】
水平部材は、水平板に垂直板を固着した略Ｌ字型であって、高さ調節部材は、前記垂直板の外側に固着したナットにアジャストボルトを螺合してなることを特徴とする請求項１に記載のコンクリート製品の敷設装置。
【請求項３】
連結部材は、水平部材に固着した支持材に設けた固定環に挿通し、固定環に設けたボルトによって固定することを特徴とする請求項１または２に記載のコンクリート製品の敷設装置。
【請求項４】
連結部材を挿通する連結杆は、水平部材の上面から突出していることを特徴とする請求項１〜３のいずれか１項に記載のコンクリート製品の敷設装置。
【請求項５】
水平部材と連結部材の双方又はいずれか一方に水準器を取り付けたことを特徴とする請求項１〜４のいずれか１項に記載のコンクリート製品の敷設装置。
【請求項６】
水平部材と連結部材の双方又はいずれか一方に水準器を着脱自在に取り付けたことを特徴とする請求項１〜４のいずれか１項に記載のコンクリート製品の敷設装置。
【発明の詳細な説明】
【技術分野】
【０００１】
この発明は、ボックスカルバート、Ｕ字溝、Ｌ型擁壁、Ｌ型ブロック、Ｕ宇型水路等のコンクリート製品を土中に埋設する際に用いるコンクリート製品の敷設装置に係り、詳しくは、前記コンクリート製品を設置するベースを容易に形成し設置精度を向上させることができるコンクリート製品の敷設装置に関するものである。
【背景技術】
【０００２】
従来、コンクリート製品、例えば、ボックスカルバートを地中に埋設する場合、ボックスカルバートを敷設できる大きさのオープンカットした溝を掘削し、次いで、栗石を敷き、その上に一定の厚さにコンクリートを打設し、さらに、高低を調整するために砂又は空練りモルタルを均してその上にボックスカルバートを設置した後、ボックスカルバートの側面及び上面を埋め戻す方法が取られていた。
【０００３】
図６に基づいて、従来のボックスカルバートの敷設方法について説明する。まず、オープンカットした溝１を掘削し、底面に１５０〜３５０ｍｍ程度の栗石２を敷き、その上にコンクリートを打設してコンクリート路床３を形成する。前記コンクリート路床３には、ボックスカルバート４の設置高さを調節するために砂又は空練りモルタル５を１０〜５０ｍｍ程度に均してその上に敷設する。
【０００４】
ボックスカルバート４を敷設するには、設置高さ等の精度が要求される。なぜなら、設置高さ等の精度が悪いと、ボックスカルバート４同士を接続する際の位置合わせや芯出し作業に手間がかかり作業能率が著しく低下するからである。高さ調整のための砂又は空練りモルタル５の均しは、作業員が手作業でその厚さを調整しながら行っていた。
【発明の開示】
【発明が解決しようとする課題】
【０００５】
しかしながら、作業員の経験と勘で調整していたために、ボックスカルバート４を設置した後に、砂又は空練りモルタル５の厚さを再度調整しなければならない場合があり、大重量のボックスカルバートを再度クレーン等で吊り上げて均し作業を行うのには次のような問題がある。
【０００６】
第１に、砂又は空練りモルタル５の厚さ調整に時間を要することである。従来は、作業員の目安で行っていたために、必ずしも一度で精度よく調整することはできなかった。そのために、ボックスカルバートを設置後、再度クレーン等で吊り上げて調整するということを繰り返さなければならなかった。
第２に、ボックスカルバートの吊り上げを繰り返すことは、作業員が手足を挟まれる等の危険が増大することである。このように、従来の作業員による経験と勘による均し作業には、安全性の点で問題があった。
【０００７】
この発明は、ボックスカルバート等のコンクリート製品の敷設における上記問題点を解消するものであって、敷き固めた砂又は空練りモルタルの厚さ調整が精度よく容易に行うことができるコンクリート製品の敷設装置を提供することを目的とする。また、この発明は、効率的に敷設作業を行うことができるとともに、安全性の向上を図ることができるコンクリート製品の敷設装置を提供することを目的とする。
【課題を解決するための手段】
【０００８】
このような課題を解決するための手段として、この発明に係るコンクリート製品の敷設装置は、一対の水平部材と、前記水平部材を連結する連結部材とからなり、水平部材の両端部には高さ調節部材が設けられており、前記連結部材が水平部材の少なくとも一端部にスライド可能に保持されており、一対の水平部材を連結部材に対してスライドさせることによってその間隔を調節するように構成されている。前記水平部材は、水平板に垂直板を固着した略Ｌ字型であって、高さ調節部材は、前記垂直板の外側に固着したナットにアジャストボルトを螺合した構成とすることができる。
【０００９】
また、前記連結部材は、水平部材に固着した支持材に設けた固定環に挿通することによってスライド可能に連結し、固定環に設けたボルトによって連結部材を固定するようにしてもよい。さらに、連結部材を挿通する連結杆は、水平部材の上面から突出していることが好ましい。また、水平部材と連結部材の双方又はいずれか一方に水準器を取り付けてもよい。水準器を取り付ける場合には、固定的に取り付けてもよいし、着脱自在に取り付けてもよい。水準器を着脱自在に取り付けた場合には、コンクリート製品の敷設装置として保管、運搬する際に取り外すことができるので損傷させることがない。
【発明の効果】
【００１０】
敷き固めた砂又は空練りモルタルをレベルに合わせて均すだけであるから、作業が容易であるとともに、一度の均し作業で一定の厚さにすることができる。また、コンクリート製品をクレーン等によって再度吊り上げる必要がないから、効率よく作業できるばかりでなく、安全性が向上する。また、傾斜面であっても均一に所定角度に均すことができるから、路床に所定の勾配がついている場合や連続した路床勾配ではなく数センチから数十センチの段差を付けたいわゆる落差工にも十分対応することができる。
【発明を実施するための最良の形態】
【００１１】
以下、図面を参照して、この発明に係るコンクリート製品の敷設装置の実施の形態を説明する。参照する図面において、図１は第１実施形態に係るコンクリート製品の敷設装置の全体構成を示す斜視図、図２は側面である。
【００１２】
装置本体１０は、一対の水平部材１１，１１と前記水平部材１１，１１を連結する連結部材１２とによって構成されている。水平部材１１、１１は、図１に示すように、水平板１１ａに対してほぼ直角に垂直板１１ｂを形成したＬ字型をしており、両端部に高さ調節部材１３、１３を設けるとともに、一端部には、連結部材１２を固定するホルダー１４が設けられている。
【００１３】
前記高さ調節部材１３、１３は、水平部材１１，１１の外側面に固着したナット１３ａにアジャストボルト１３ｂを螺合させることによって構成されている。前記アジャストボルト１３ｂを回動すれば、アジャストボルト１３ｂの水平部材１１，１１からの突出長さが変わり、水平部材１１，１１の設置面からの高さを変更することができる。
【００１４】
前記ホルダー１４は、前記水平部材１１，１１の外側面に支持材１４ａの上端部を水平部材１１，１１の上端面よりも突出させて固着し、前記支持材１４ａに連結部材１２を挿通する固定環１４ｂが固着されている。前記固定環１４ｂの上面には、挿通した連結部材１２を固定するボルト１４ｃが螺合している。前記固定環１４ｂは、連結部材１２を挿通したとき、水平部材１１，１１をほぼ平行な状態で連結するように互いに対向している。
【００１５】
前記固定環１４ｂは、図示する実施形態では、連結部材１２の断面形状に合わせて円環に形成されているが、連結部材１２の断面形状が三角形、四角形、楕円形等である場合には、連結部材１２の断面形状に合わせた形状とすることができる。また、支持材１４ａの上端部を水平部材１１，１１の上端面よりも突出させて固着するのは、使用に際して掻き寄せられた砂又は空練りモルタルを排出させる空隙を形成するためであるから、その突出高さは適宜決定すればよい。また、掻き寄せた砂又は空練りモルタルを連結部材１２の上面から排出する場合には、連結部材を水平部材１１，１１の上面から突出しない構成としてもよい。
【００１６】
図中２１は水準器で、水平部材１１、１１の外側に取り付けられている。水準器２１を取り付けることによって正確に水平を出すことができ、また、水平面からの偏差（傾斜度）を測ることができる。水準器２１は、水平部材１１，１１と連結部材１２の双方又はいずれか一方に取り付けることができる。特に、連続した勾配の設置面を形成する場合に有効である。なお、水準器２１は、固定的に取り付けられていても、着脱自在に取り付けられていてもよい。
【００１７】
前記水平部材１１，１１の長さ寸法と連結部材１２の長さ寸法は、ボックスカルバートの長さ寸法と幅寸法によって異なり、特に連結部材１２の長さ寸法を変えることによって、大きさの異なる種々のボックスカルバートに適用させることができる。
【００１８】
尚、水平部材１１，１１の形状も実施形態に限定されるものではない。水平部材１１，１１は、敷き固めた砂又は空練りモルタルの表面を所定の高さに均すことができる水平面を有するものであればよく、Ｈ型、コ字型等であってもよく、単なるパイプや棒状体であってもよい。前記高さ調節部材１３、１３は、上記実施形態に限定されるものではなく、水平部材１１，１１の高さを調節できる構成であればよい。
【００１９】
例えば、図３に示すように、水平部材１１の外面に固着した保持環１５に支柱１６を挿通し、前記保持環１５に設けたネジ穴１５ａにボルト１７を螺合する構成としてもよい。前記ボルト１７を緩めることによって支柱１６の水平部材１１からの突出長さを調節することができ、調節後、ボルト１７を締め付けることによって支柱１６を固定すればよい。
【００２０】
図４は、連結部材を保持するホルダーの他の実施形態を示す。この実施形態のホルダーは、水平部材１１の外側面に固着した支持材１８ａにコ字状の受け部１８ｂの開口部を上面に向けて固着し、この受け部１８ｂに連結部材１２ａを嵌合させてなる。前記連結部材１２ａは、受け部１８ｂの側面に螺合したボルト１８ｃによって固定される。また、図示する実施形態では、ホルダー１４と連結部材１２は、水平部材１１，１１の一端部に設ける構成としたが、これに限定されるものではなく、適宜必要に応じて両端部及び中間部に設けてもよい。
【００２１】
次に、実施形態に示すコンクリート製品の敷設装置の使用方法をボックスカルバートを敷設する場合について説明する。まず、従来と同様にボックスカルバートを敷設するオープンカットした溝を掘削し、底面に栗石２を敷いてその上にコンクリートを打設してコンクリート路床３を形成する。
【００２２】
次いで、前記コンクリート路床３に装置本体１０をセットする。このとき予め、例えば、地面からのボックスカルバートの設置面深さ寸法ＨよりもＨ１寸法を引いた分だけ上方に水糸２０を張っておく。言い換えれば、地面からＨ２の深さ寸法の位置に水糸２０を張っておく。そうすれば、前記水糸２０から下方の寸法を測ることによって設置面の高さを決定することができる。
【００２３】
水糸２０を張って準備が完了すると、前記コンクリート路床３に装置本体１０をセットする。装置本体１０は、連結部材１２を進行方向側に向けてセットする。装置本体１０をセットした後、水糸２０からの寸法に合わせて水平部材１１の高さを調節する。水平部材１１の水平板１１ａの上面をボックスカルバートの設置面とすると、予め決められている水糸２０からの寸法に合わせてアジャストボルト１３ｂを回動して水平板１１ａの上面位置を決めればよい。
【００２４】
水平部材１１、１１の高さ位置が決められると、前記水平部材１１、１１の内側に砂又は空練りモルタルを充填して固める。固めた砂又は空練りモルタル５を水平板１１ａの上面を基準にして掻き寄せるようにして均せばよい。掻き寄せられた砂又は空練りモルタルは、連結部材１２の下方から敷設方向のコンクリート路床３上に排出すればよい。
【００２５】
水平板１１ａを基準にして均した砂又は空練りモルタル５の上にボックスカルバート４を敷設すればよい。ボックスカルバート４の設置面である砂又は空練りモルタル５の上面は、所定の深さ寸法に調節されているから、ボックスカルバートを精度よく敷設することができる。従って、ボックスカルバート同士を接続する際の位置合わせや芯出し作業に手間取ることがなく、きわめて効率よく、しかも安全に敷設作業を行うことができる。
【００２６】
ボックスカルバート４を敷設した後に、装置本体１０を１つのカルバートボックス分だけ敷設方向に引き出して移動させる。移動させて所定位置に位置決めした後、水糸２０からの高さを測って水平部材１１の水平板１１ａの高さ位置を合わせる。次いで、内部に充填した砂又は空練りモルタルを均して、ボックスカルバートを敷設する。このようにして、順次装置本体を移動させながら敷設作業を繰り返えばよい。
【００２７】
この発明に係るコンクリート製品の敷設装置を使用すれば、連続した勾配を有する場合にもその勾配に沿って水糸を張っておけば、水糸に沿って設置面の高さを決めることができるから、通常の敷設作業と同様にして連続した勾配の設置面を形成することができる。特に、水準器２１を取り付けた場合には、連続した勾配の傾斜度を正確に、しかも迅速に測ることができるから、作業効率を向上させることができる。
【００２８】
尚、上記説明では、ボックスカルバートを例に説明したが、ボックスカルバートに限定されないは勿論である。例えば、高さ調整用の層を設けて敷設するコンクリート製品であれば、例えば、Ｕ字溝、Ｌ型擁壁、Ｌ型ブロック、Ｕ宇型水路等の敷設装置として使用することが可能である。
【図面の簡単な説明】
【００２９】
【図１】この発明の実施形態を示す斜視図である。
【図２】同じく側面図である。
【図３】他の実施形態の高さ調節部材を示す拡大断面図である。
【図４】他の実施形態のホルダーを示す斜視図である。
【図５】使用方法を説明するための一部断面側面図である。
【図６】ボックスカルバートを敷設した状態の一部断面図である。
【符号の説明】
【００３０】
１０：装置本体
１１：水平部材
１１ａ：水平板
１１ｂ：垂直板
１２：連結部材
１３：高さ調節部材
１３ａ：ナット
１３ｂ：アジャストボルト
１４：ホルダー
１４ａ：支持材
１４ｂ：固定環
１４ｃ：ボルト
２０：水糸
２１：水準器
【図１】
2006112108.tif 000003
【図２】
2006112108.tif 000004
【図３】
2006112108.tif 000005
【図４】
2006112108.tif 000006
【図５】
2006112108.tif 000007
【図６】
2006112108.tif 000008